(57)【要約】【課題】床面に沿って構造スリットを設けても、地震時の挙動に追随できる扉構造を提供すること。【解決手段】扉構造１は、壁２の開口１０に設けられる矩形状の扉枠２０と、この扉枠２０に開閉可能に設けられた扉３０と、を備える。扉枠２０は、略水平に延びる沓摺り２１および上枠２２と、これら沓摺り２１の一部と上枠２２とを連結して略鉛直方向に延びる一対の縦枠２３Ａ、２３Ｂと、を備える。壁２には、床面３、４に沿って延びて前記開口を通る構造スリット５が設けられ、扉枠２０の上枠２２および一対の縦枠２３Ａ、２３Ｂは、壁２の構造スリット５よりも上側の部分に固定され、沓摺り２１は、床面３、４に固定された支持部４０と、一対の縦枠２３Ａ、２３Ｂの下端に連結されて支持部４０の上にスライド可能に支持されたスライド部４１と、を備える。【選択図】図３
2014047497.tif 000002
【特許請求の範囲】
【請求項１】
壁の開口に設けられる矩形状の扉枠と、当該扉枠に開閉可能に設けられた扉と、を備え、
前記扉枠は、略水平に延びる沓摺りおよび上枠と、当該沓摺りの一部と当該上枠とを連結して略鉛直方向に延びる一対の縦枠と、を備え、
前記壁には、床面に沿って延びて前記開口を通る構造スリットが設けられ、
前記扉枠の上枠および一対の縦枠は、前記壁の構造スリットよりも上側の部分に固定され、
前記沓摺りは、前記床面に固定された支持部と、前記一対の縦枠の下端に連結されて前記支持部の上にスライド可能に支持されたスライド部と、を備えることを特徴とする扉構造。
【請求項２】
壁の開口に設けられる矩形状の扉枠と、当該扉枠に開閉可能に設けられた扉と、を備え、
前記扉枠は、略水平に延びる沓摺りおよび上枠と、当該沓摺りと当該上枠とを連結して略鉛直方向に延びる一対の縦枠と、を備え、
前記壁には、床面に沿って延びて前記開口を通る構造スリットが設けられ、
前記扉枠の上枠および一対の縦枠は、前記壁の構造スリットよりも上側の部分に固定され、
前記沓摺りは、前記一対の縦枠の下端に連結されて前記床面に対して相対移動可能であることを特徴とする扉構造。
【請求項３】
壁の開口に設けられる矩形状の扉枠と、当該扉枠に開閉可能に設けられた扉と、を備え、
前記扉枠は、略水平に延びる上枠と、当該上枠の両端から下方に向かって略鉛直方向に延びる一対の縦枠と、を備え、
前記壁には、床面に沿って延びて前記開口を通る構造スリットが設けられ、
前記扉枠の上枠および一対の縦枠は、前記壁の構造スリットよりも上側の部分に固定されて前記扉を開閉可能に支持することを特徴とする扉構造。
【発明の詳細な説明】
【技術分野】
【０００１】
本発明は、扉と扉枠とを備える扉構造に関する。
【背景技術】
【０００２】
従来より、壁とこの壁の周囲の構造部材との取り合い部分に構造スリットを設けて、壁と周囲の構造部材との縁を切ることが提案されている（例えば、特許文献１参照）。
【０００３】
構造スリットを設けるのは、例えば以下のような理由である。
すなわち、建物の壁の配置が平面視で極端に偏っていると、地震時に壁が周囲の部材の変形を拘束するため、建物が偏心してねじれが生じやすくなり、構造部材の損傷が大きくなるおそれがある。
【０００４】
また、建物の壁の配置が高さ方向に極端に偏っている場合も同様である。つまり、特定の層に多くの壁が配置される場合、地震時には、壁が周囲の部材の変形を拘束するので、この層の剛性が大きくなる。よって、剛性の小さな層に大きな変形が生じて、構造部材の損傷が大きくなるおそれがある。
【０００５】
また、柱の上下端に腰壁や垂れ壁が設けられている場合、柱が腰壁や垂れ壁に拘束されて挙動範囲が狭くなり、この狭くなった挙動範囲に水平力が集中して、柱にせん断破壊が生じやすくなる。
【０００６】
そこで、構造スリットを、壁の床面付近に床面に沿って略水平に設けたり、壁と柱との取合い部分に沿って略鉛直に設けたりする。このようにすれば、壁が周囲の構造部材の変形を大きく拘束しないので、地震時の建物の損傷を低減できる。
【０００７】
ところで、構造スリットを設けた壁に、扉および扉枠からなるドアセットを設ける場合がある。この場合、床面に沿って延びる構造スリットとドアセットとの取合いをどのようにするかが問題となる。
ここで、ドアセットについては、扉枠を周囲の躯体に固定した場合に、面内変形角の許容値が定められている（非特許文献１、非特許文献２参照）。
【先行技術文献】
【特許文献】
【０００８】
【特許文献１】特開２００８−２９１４６８号公報
【非特許文献】
【０００９】
【非特許文献１】ＪＩＳ規格  Ａ４７０２：２０００  「ドアセット」、２００７年
【非特許文献２】ＪＩＳ規格  Ａ１５２１：１９９６  「片開きドアセットの面内変形追随性試験方法」、１９９６年
【発明の概要】
【発明が解決しようとする課題】
【００１０】
しかしながら、上述の定められた許容値は、ドアセットが全体として変形可能な許容値を示すものであり、上述のように床面に沿って構造スリットを設けると、地震時にドアセットの下端縁に局部的に変位が集中するため、ドアセットが破壊されたり大きく歪んだりして、扉を開閉できなくなる、という問題があった。
【００１１】
本発明は、床面に沿って構造スリットを設けても、地震時の挙動に追随できる扉構造を提供することを目的とする。
【課題を解決するための手段】
【００１２】
請求項１に記載の扉構造（例えば、後述の扉構造１）は、壁（例えば、後述の壁２）の開口（例えば、後述の開口１０）に設けられる矩形状の扉枠（例えば、後述の扉枠２０）と、当該扉枠に開閉可能に設けられた扉（例えば、後述の扉３０）と、を備え、前記扉枠は、略水平に延びる沓摺り（例えば、後述の沓摺り２１）の一部および上枠（例えば、後述の上枠２２）と、当該沓摺りと当該上枠とを連結して略鉛直方向に延びる一対の縦枠（例えば、後述の縦枠２３Ａ、２３Ｂ）と、を備え、前記壁には、床面（例えば、後述の屋内側床面３および屋外側床面４）に沿って延びて前記開口を通る構造スリット（例えば、後述の構造スリット５）が設けられ、前記扉枠の上枠および一対の縦枠は、前記壁の構造スリットよりも上側の部分に固定され、前記沓摺りは、前記床面に固定された支持部（例えば、後述の支持部４０）と、前記一対の縦枠の下端に連結されて前記支持部の上にスライド可能に支持されたスライド部（例えば、後述のスライド部４１）と、を備えることを特徴とする。
【００１３】
この発明によれば、扉枠の上枠、縦枠、および沓摺りのスライド部は、壁と一体となり、沓摺りの支持部は、床面と一体となる。よって、壁と床面とが変位しても、スライド部の下面が支持部の上面に対して摺動するので、この変位を受け流して、地震時の構造スリットの挙動に追従できる。
また、沓摺りのみが特殊な構造であるので、扉構造の製作や取付けのコストを低く抑えることができる。
また、支持部でスライド部を支持したので、多くの歩行者や重量物を載せた台車等が通過して、沓摺りにかかる鉛直荷重が大きい場合でも、スライド部が沈下するのを防止できる。
【００１４】
請求項２に記載の扉構造（例えば、後述の扉構造１Ａ）は、壁（例えば、後述の壁２）の開口（例えば、後述の開口１０）に設けられる矩形状の扉枠（例えば、後述の扉枠２０）と、当該扉枠に開閉可能に設けられた扉（例えば、後述の扉３０）と、を備え、前記扉枠は、略水平に延びる沓摺り（例えば、後述の沓摺り２１）および上枠（例えば、後述の上枠２２）と、当該沓摺りと当該上枠とを連結して略鉛直方向に延びる一対の縦枠（例えば、後述の縦枠２３Ａ、２３Ｂ）と、を備え、前記壁には、床面（例えば、後述の屋内側床面３および屋外側床面４）に沿って延びて前記開口を通る構造スリット（例えば、後述の構造スリット５）が設けられ、前記扉枠の上枠および一対の縦枠は、前記壁の構造スリットよりも上側の部分に固定され、前記沓摺りは、前記一対の縦枠の下端に連結されて前記床面に対して相対移動可能であることを特徴とする。
【００１５】
この発明によれば、扉枠の上枠、縦枠、および沓摺りは、壁と一体となる。よって、壁と床面とが変位しても、沓摺りの下面が床面に対して相対移動するので、この変位を受け流して、地震時の構造スリットの挙動に追従できる。
また、沓摺りのみが特殊な構造であるので、扉構造の製作や取付けのコストを低く抑えることができる。
【００１６】
請求項３に記載の扉構造（例えば、後述の扉構造１Ｂ）は、壁（例えば、後述の壁２）の開口（例えば、後述の開口１０）に設けられる矩形状の扉枠（例えば、後述の扉枠２０）と、当該扉枠に開閉可能に設けられた扉（例えば、後述の扉３０）と、を備え、前記扉枠は、略水平に延びる上枠（例えば、後述の上枠２２）と、当該上枠の両端から下方に向かって略鉛直方向に延びる一対の縦枠（例えば、後述の縦枠２３Ａ、２３Ｂ）と、を備え、前記壁には、床面（例えば、後述の床面３）に沿って延びて前記開口を通る構造スリット（例えば、後述の構造スリット５）が設けられ、前記扉枠の上枠および一対の縦枠は、前記壁の構造スリットよりも上側の部分に固定されて前記扉を開閉可能に支持することを特徴とする。
【００１７】
この発明によれば、扉枠の上枠および縦枠は、壁と一体となる。よって、壁と床面とが変位しても、この変位を受け流して、地震時の構造スリットの挙動に追従できる。
【発明の効果】
【００１８】
本発明によれば、扉枠の上枠、縦枠、および沓摺りのスライド部は、壁と一体となり、沓摺りの支持部は、床面と一体となる。よって、壁と床面とが変位しても、スライド部の下面が支持部の上面に対して摺動するので、この変位を受け流して、地震時の構造スリットの挙動に追従できる。また、沓摺りのみが特殊な構造であるので、扉構造の製作や取付けのコストを低く抑えることができる。また、支持部でスライド部を支持したので、多くの歩行者や重量物を載せた台車等が通過して、沓摺りにかかる鉛直荷重が大きい場合でも、スライド部が沈下するのを防止できる。
【図面の簡単な説明】
【００１９】
【図１】本発明の第１実施形態に係る扉構造の正面図である。
【図２】前記実施形態に係る扉構造の沓摺りの拡大正面図である。
【図３】図２のＡ−Ａ断面図である。
【図４】前記実施形態に係る扉構造の扉枠を壁に取り付ける手順を説明するための図（その１）である。
【図５】前記実施形態に係る扉構造の扉枠を壁に取り付ける手順を説明するための図（その２）である。
【図６】前記実施形態の第１変形例に係る扉構造の沓摺りの拡大断面図である。
【図７】前記実施形態の第２変形例に係る扉構造の沓摺りの拡大断面図である。
【図８】本発明の第２実施形態およびその変形例に係る扉構造の沓摺りの拡大断面図である。
【図９】本発明の第３実施形態およびその変形例に係る扉構造の下端部の拡大断面図である。
【発明を実施するための形態】
【００２０】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る扉構造１の正面図（屋外側から視た図）である。
【００２１】
扉構造１は、屋内と屋外とを仕切る鉄筋コンクリート造の壁２の開口１０に設けられ、屋内側床面３と、この屋内側床面３よりも低い屋外側床面４と、の間で往来可能とするものである。
屋内側床面３と屋外側床面４との境界部分は、切り欠かれて切欠き部１１が形成されている。
開口１０は矩形状であり、下辺縁となる切欠き部１１、上辺縁１２、側辺縁１３Ａ、１３Ｂ、で構成される。
【００２２】
扉構造１は、開口１０に設けられる矩形状の扉枠２０と、この扉枠に開閉可能に設けられた扉３０（図２、図３参照）と、を備える。
扉枠２０は、略水平に延びる沓摺り２１および上枠２２と、これら沓摺り２１の一部と上枠２２とを連結して略鉛直方向に延びる一対の縦枠２３Ａ、２３Ｂと、を備える。
上枠２２は、開口１０の上辺縁１２に固定され、一対の縦枠２３Ａ、２３Ｂは、開口１０の側辺縁１３Ａ、１３Ｂに固定されている。
【００２３】
壁２の下端側には、床面３、４に沿って延びて開口１０を通る構造スリット５が設けられており、これにより、構造スリット５の上下の部分は相対移動可能となっている。
この構造スリット５は、壁２の下端側に設けられて略水平に延びる第１スリット５Ａと、沓摺り２１と切欠き部１１との間を略水平に延びる第２スリット５Ｂと、で構成される。
【００２４】
図２は、沓摺り２１の部分拡大正面図であり、図３は、図２のＡ−Ａ断面図である。
沓摺り２１は、切欠き部１１に固定された平板状の支持部４０と、この支持部４０の上にスライド可能に支持されて一対の縦枠２３Ａ、２３Ｂの下端に連結された筒状のスライド部４１と、を備える。
【００２５】
支持部４０の上面は、円滑な平面となっている。また、この支持部４０の下面には、所定間隔おきにリブ４０１が設けられており、このリブ４０１で溶接用アンカー１４に溶接固定されている。この支持部４０の下側の空間には、モルタルが詰められて、トロ詰め部１５が形成されている。
【００２６】
スライド部４１は、上面が開放された筒状のスライド部本体４２と、このスライド部本体４２に皿ビス４３１で取り付けられてスライド部本体４２の上面を塞ぐ平板状のカバー部４３と、を備える。
【００２７】
カバー部４３の屋内側の端縁は、スライド部本体４２から屋内側に向かって延出して、屋内側床面３の上に載置されており、このカバー部４３の屋内側の端縁の下面と屋内側床面３とは、互いに摺動するスライド面Ｓ１となっている。このスライド面Ｓ１には、フッ素樹脂シート（例えばテフロン（登録商標）シート）などのすべり材を介装してもよい。
【００２８】
一方、カバー部４３の屋外側の端縁は、スライド部本体４２から屋外側に向かって延出して、スライド部本体４２とともに溝部４４を形成している。
この溝部４４には、ガスケット４５が嵌め込まれている。
【００２９】
スライド部本体４２の下面は、支持部４０の上面に載せられており、このスライド部本体４２の下面と支持部４０の上面との間は、互いに摺動するスライド面Ｓ２となっている。このスライド面Ｓ２には、フッ素樹脂シートなどのすべり材を介装してもよい。
スライド部本体４２の屋外側の端縁と切欠き部１１の底面との間の隙間は、シーリング４６が打設されている。
またスライド部４１と支持部４０とは、仮止めボルト４７で固定可能となっている。
【００３０】
以上の扉構造１では、扉枠２０の上枠２２、縦枠２３Ａ、２３Ｂ、および沓摺り２１のスライド部４１は、壁２と一体となっている。一方、沓摺り２１の支持部４０は、床面３、４と一体となっている。
よって、地震動により、壁２が床面３、４に対して面内方向あるいは面外方向に変位すると、スライド部４１は、スライド面Ｓ１、Ｓ２で屋内側床面３および支持部４０に対してスライドして変位する。
このとき、扉構造１の床面３、４に対する面内方向に追従可能な変位の最大値は、縦枠２３Ａの端面から切欠き部１１の側壁面までの寸法ｄ１となる。また、扉構造１の面外方向（屋内側）に追従可能な変位の最大値は、スライド部本体４２の屋内側側面から切欠き部１１の屋内側の内壁面までの寸法ｄ２となる。
【００３１】
上述の扉構造１の扉枠２０を壁２の開口１０に取り付ける手順は、以下のようになる。
まず、ドアセット製作工場にて、沓摺り２１のスライド部本体４２、上枠２２、縦枠２３Ａ、２３Ｂを矩形枠状に一体に製作する。そして、仮止めボルト４７で支持部４０をスライド部４１に取り付けるとともに、カバー部４３をスライド部本体４２に皿ビス４３１で固定取り付けておく。この状態で施工現場に搬入する。
【００３２】
一方、施工現場では、壁２の開口１０の切欠き部１１、上辺縁１２、側辺縁１３Ａ、１３Ｂに溶接用アンカー１４を施工しておく。
【００３３】
次に、図４（ａ）に示すように、カバー部４３をスライド部本体４２から取り外して、切欠き部１１に建て込む。このとき、断面三角形状の楔１６を数種類用いて、スライド部本体４２の床面３、４からの高さや水平方向の位置を調整する。
ここで、高さ方向の調整代（レベル調整代）は、切欠き部１１の底面から支持部４０のリブ４０１の下端までの寸法ｔ１である。
【００３４】
次に、高さと水平方向の位置の調整が完了したら、図４（ｂ）に示すように、支持部４０のリブ４０１を切欠き部１１の溶接用アンカー１４に溶接して固定する。
また、上枠２２を、上辺縁１２に打設した溶接用アンカー１４に溶接して固定し、縦枠２３Ａ、２３Ｂを、側辺縁１３Ａ、１３Ｂに打設した溶接用アンカー１４に溶接して固定する。
その後、支持部４０の下側の空間にモルタルを詰めてトロ詰め部１５を形成する。
【００３５】
次に、図４（ｃ）に示すように、仮止めボルト４７を取り外す。これにより、スライド部本体４２が支持部４０に対してスライド可能となる。
【００３６】
次に、図５（ａ）に示すように、カバー部４３をスライド部本体４２に皿ビス４３１で取り付ける。
【００３７】
次に、図５（ｂ）に示すように、スライド部本体４２の屋外側の端縁と切欠き部１１の底面との間の隙間にシーリング４６を打設するとともに、溝部４４にガスケット４５を嵌め込む。
【００３８】
本実施形態によれば、以下のような効果がある。
（１）扉枠２０の上枠２２、縦枠２３Ａ、２３Ｂ、および沓摺り２１のスライド部４１は、壁２と一体となり、沓摺り２１の支持部４０は、床面３、４と一体となる。よって、壁２が床面３、４に対して変位しても、スライド面Ｓ１、Ｓ２で摺動するので、この変位を受け流して、地震時の構造スリット５の挙動に追従できる。
また、沓摺り２１のみが特殊な構造であるので、扉構造１の製作や取付けのコストを低く抑えることができる。
【００３９】
（２）支持部４０でスライド部４１を支持したので、多くの歩行者や重量物を載せた台車等が通過して、沓摺り２１にかかる鉛直荷重が大きい場合でも、スライド部４１が沈下するのを防止できる。
【００４０】
（３）扉構造１の面内方向に追従可能な変位の最大値は、寸法ｄ１で決定され、面外方向に追従可能な変位の最大値は、寸法ｄ２で決定されるので、これらの寸法ｄ１、ｄ２を適宜設定することにより、必要な追従可能変位量を確保できる。
【００４１】
なお、本実施形態では、支持部４０を平板状としたが、これに限らず、図６に示すように、支持部４０を断面矩形状の筒状として、支持部４０の剛性を向上させてもよい。
【００４２】
また、本実施形態では、支持部４０を平板状とし、スライド部４１を筒状としたが、これに限らず、図７に示すように、支持部４０を筒状とし、スライド部４１を平板状としてもよい。なお、この場合、床面３と床面４との段差が小さいので、シーリング４６を上向きに打設し、溝部４４には、シーリングを打設した後、ガスケット４５を嵌め込んでいる。このような構造にすれば、段差を小さくすることができ、車いすの通行や歩行に障害のある人の通行が容易となる。
【００４３】
〔第２実施形態〕
図８（ａ）は、本発明の第２実施形態に係る扉構造１Ａの沓摺り２１の断面図である。
本実施形態では、沓摺り２１に支持部が設けられておらず、沓摺り２１が第１実施形態のスライド部４１のみで構成される点が、第１実施形態と異なる。
すなわち、沓摺り２１であるスライド部４１は、一対の縦枠２３Ａ、２３Ｂの下端に支持されて、床面３および切欠き部１１に対して相対移動可能となっている。
また、カバー部４３の屋内側の端縁は、スライド部本体４２から屋内側に向かって延出して、屋内側床面３の上に位置しており、このカバー部４３の屋内側の端縁の下面と屋内側床面３とは、相対変位する相対変位面Ｅとなっている。この相対変位面Ｅには、フッ素樹脂シートなどのすべり材を介装してもよい。
【００４４】
本実施形態によれば、以下のような効果がある。
（４）扉枠２０の上枠２２、縦枠２３Ａ、２３Ｂ、および沓摺り２１であるスライド部４１は、壁２と一体となる。よって、壁２が床面３、４に対して変位しても、スライド部４１の下面が床面３に対して相対移動可能であるので、この変位を受け流して、地震時の構造スリット５の挙動に追従できる。
また、沓摺り２１のみが特殊な構造であるので、扉構造１Ａの製作や取付けのコストを低く抑えることができる。
【００４５】
（５）扉構造１Ａの面外方向に追従可能な変位の最大値は、寸法ｄ２で決定されるので、寸法ｄ２を適宜設定することにより、必要な追従可能変位量を確保できる。
【００４６】
なお、本実施形態では、スライド部４１のスライド部本体４２を筒状としたが、これに限らず、図８（ｂ）に示すように、スライド部本体４２を折り曲げた板状とし、カバー部４３の下面に補強材としてアングル材４８を設けてもよい。
【００４７】
〔第３実施形態〕
図９（ａ）は、本発明の第３実施形態に係る扉構造１Ｂの下端部の断面図である。
本実施形態では、沓摺りが設けられていない点が、第１実施形態と異なる。
すなわち、壁２は屋内に設けられており、扉構造１Ｂは、面一の屋内側床面３を往来可能とする。
扉構造１Ｂの扉枠２０は、三方枠であり、略水平に延びる上枠２２と、この上枠２２の両端から下方に向かって略鉛直方向に延びる一対の縦枠２３Ａ、２３Ｂと、を備える。
床面３には、沓摺りの代わりに、断面略コの字形状の見切縁２４が取り付けられており、上枠２２および縦枠２３Ａ、２３Ｂは、この見切縁２４に対して相対移動可能である。
【００４８】
本実施形態によれば、以下のような効果がある。
（６）扉枠２０の上枠２２、縦枠２３Ａ、２３Ｂは、壁２と一体となる。よって、壁２が床面３、４に対して変位しても、扉枠２０の上枠２２、縦枠２３Ａ、２３Ｂは床面３と縁が切れているので、この変位を受け流して、地震時の構造スリット５の挙動に追従できる。
【００４９】
なお、本実施形態では、見切縁２４を断面略コの字形状としたが、これに限らず、図９（ｂ）に示すように、見切縁２４を平板状としてもよいし、図９（ｃ）に示すように、見切縁を設けなくてもよい。
【００５０】
なお、本発明は前記実施形態に限定されるものではなく、本発明の目的を達成できる範囲での変形、改良等は本発明に含まれるものである。
【符号の説明】
【００５１】
Ｓ１、Ｓ２…スライド面
Ｅ…相対変位面
ｔ１…レベル調整代
ｄ１…扉構造の面内方向に追従可能な変位の最大値
ｄ２…扉構造の面外方向に追従可能な変位の最大値
１、１Ａ、１Ｂ…扉構造
２…壁
３…屋内側床面
４…屋外側床面
５…構造スリット
５Ａ…第１スリット
５Ｂ…第２スリット
１０…開口
１１…切欠き部
１２…上辺縁
１３Ａ…側辺縁
１３Ｂ…側辺縁
１４…溶接用アンカー
１５…トロ詰め部
１６…楔
２０…扉枠
２１…沓摺り
２２…上枠
２３Ａ…縦枠
２３Ｂ…縦枠
２４…見切縁
３０…扉
４０…支持部
４１…スライド部
４２…スライド部本体
４３…カバー部
４４…溝部
４５…ガスケット
４６…シーリング
４７…仮止めボルト
４８…アングル材
４０１…リブ
４３１…皿ビス
【図１】
2014047497.tif 000003
【図２】
2014047497.tif 000004
【図３】
2014047497.tif 000005
【図４】
2014047497.tif 000006
【図５】
2014047497.tif 000007
【図６】
2014047497.tif 000008
【図７】
2014047497.tif 000009
【図８】
2014047497.tif 000010
【図９】
2014047497.tif 000011